(57)【要約】【課題】ＤＶＤとの互換性を保ちつつ、短波長のブルーレーザーによる記録、再生を行うことができる高密度光記録媒体と光記録再生装置を提供する。【解決手段】光記録媒体が、クランプ部の厚さを１．２ｍｍとし、情報記録の形成部を含む周囲部の光透過層の厚さを０．６ｍｍ±５．９８λ／（Ｎ．Ａ．）４とし、光透過層側からＮ．Ａ．≦０．７２とされたレンズ系を通じて記録または再生の少なくともいずれかがなされるように構成される。【選択図】図１
2010135066.tif 000002
【特許請求の範囲】
【請求項１】
クランプ部の厚さを１．２ｍｍとし、情報記録の形成部を含む周囲部の光透過層の厚さを０．６ｍｍ±５．９８λ／（Ｎ．Ａ．）４とし、
該光透過層側からＮ．Ａ．≦０．７２とされたレンズ系を通じて記録または再生の少なくともいずれかがなされる
光記録媒体。
【請求項２】
クランプ部の厚さを１．２ｍｍとし、情報記録の形成部を含む周囲部の光透過層の厚さを０．６ｍｍ±５．９８λ／（Ｎ．Ａ．）４とする光記録媒体が用いられ、
該光透過層側からＮ．Ａ．≦０．７２の対物レンズを通じて記録または再生の少なくともいずれかを行う光学装置を有する
光記録再生装置。
【発明の詳細な説明】
【技術分野】
【０００１】
本発明は、光記録媒体と光記録再生装置、例えば光ディスクあるいは光カード等の光記録媒体と、これに対する光記録および再生の双方、あるいはいづれかを行う機能を有する光記録再生装置に係わる。
【背景技術】
【０００２】
情報化社会の急速な発展により、特に情報、通信、映像、音声分野でのデジタル信号化が促進されている。これに伴い、これらのソフト供給あるいは情報記録媒体としての光ディスクに対する高密度化の要求が益々高くなっている。その実現手段としては、光記録および再生のレーザー光として短波長のレーザー光、すなわち青レーザーを用いること、あるいは／および光学系の高Ｎ．Ａ．（開口数）化がもっとも確実かつ有力である。
【０００３】
一方、近年、高密度光ディスクとして、ＤＶＤ（Digital Versatile Disc) が規格化、商品化され、徐々に普及しつつある。また、例えばＤＶＤの延長線上での大容量化の技術開発が多数報告されている（例えば非特許文献１参照）。
【先行技術文献】
【非特許文献】
【０００４】
【非特許文献１】ニッケイ エレクトロニクス １９９７．５．５（ｎｏ．６８８）第１３頁表１
【発明の開示】
【発明が解決しようとする課題】
【０００５】
本発明は、ＤＶＤとの互換性を保ちつつ、短波長のブルーレーザーによる記録、再生を行うことができる高密度光記録媒体と光記録再生装置を提供することを目的とする。
【課題を解決するための手段】
【０００６】
本発明による光記録媒体は、クランプ部の厚さを１．２ｍｍとし、情報記録の形成部を含む周囲部の光透過層の厚さを０．６ｍｍ±５．９８λ／（Ｎ．Ａ．）４とし、該光透過層側からＮ．Ａ．≦０．７２とされたレンズ系を通じて記録または再生の少なくともいずれかがなされる構成とする。
【０００７】
また、本発明による記録再生装置は、クランプ部の厚さを１．２ｍｍとし、情報記録の形成部を含む周囲部の光透過層の厚さを０．６ｍｍ±５．９８λ／（Ｎ．Ａ．）４とする光記録媒体が用いられ、該光透過層側からＮ．Ａ．≦０．７２の対物レンズを通じて記録または再生の少なくともいずれかを行う光学装置を有する。
【０００８】
本発明は、上述の構成によってその波長が、３９０ｎｍ≦λ≦４４０ｎｍの短波長レーザーによっても、従来のＤＶＤとの互換性をもって、これに対する記録再生を行うことができるようにする。
【発明の効果】
【０００９】
上述したように、本発明の光記録媒体によれば、従来のＤＶＤとその記録再生装置と互換性を保ちつつ、高記録密度化を図り、記録容量の増大化をはかることができる。
【００１０】
また、本発明による光記録および再生の少なくともいづれかを行う光記録再生装置によれば、スキュー補正を行うようにしたことから、すぐれた記録、再生特性をもってその記録および再生を行うことができる。
【図面の簡単な説明】
【００１１】
【図１】本発明による光記録再生装置の概略構成図である。
【図２】本発明による光記録媒体の他の一例の概略断面図である。
【図３】本発明による光記録媒体の他の一例の概略断面図である。
【図４】本発明による光記録媒体の他の一例の概略断面図である。
【図５】本発明による光記録媒体の他の一例の概略断面図である。
【図６】本発明による光記録再生装置の一例のスキュー補正手段の一例の概略構成図である。
【図７】本発明による光記録再生装置の光ピックアップ部の一例の概略構成図である。
【図８】ＡおよびＢは、それぞれ本発明による光記録媒体の情報記録面の記録パターンの一例を示す図である。
【図９】本発明による光記録媒体の情報記録面の記録パターンの他の一例を示す図である。
【図１０】Ａ、ＢおよびＣは、それぞれ本発明による光記録媒体の情報記録面の記録パターンの他の一例を示す図である。
【発明を実施するための形態】
【００１２】
図１〜図５にその概略断面図を例示するように、本発明による光記録媒体１０は、情報
記録面１上に厚さｔが０．６ｍｍで、その厚さむらΔｔを±５．９８λ／（Ｎ．Ａ．）4 の範囲内とする光透過層２が形成され、この光透過層２側から、波長λが、３９０ｎｍ≦λ≦４４０ｎｍのレーザー光により、Ｎ．Ａ．（開口数）が、０．６≦Ｎ．Ａ．≦０．７２のレンズ系を通じて記録または再生の少なくともいづれかがなされる。
【００１３】
そして、通常のＤＶＤに対する光記録再生装置の駆動部への装着部に対応すべく、少なくともその駆動部への装着部、すなわちクランプ部３の厚さｔｃを、ＤＶＤに対応する厚さの１．２ｍｍとする。
【００１４】
図１〜図５は、本発明による光記録媒体１０を例示するものであるが、本発明による光記録媒体はこれらの例に限られるものではない。
【００１５】
図１および図２に示す例では、例えばポリカーボネート（ＰＣ）等の射出成形による光透過性ディスク基板によって光記録媒体を構成し、少なくともその光記録再生装置のディスク回転駆動部へのクランプ部３を構成する厚さｔｃを１．２ｍｍとし、情報記録面１の形成部を含む周囲部の光透過層２の厚さｔを上述した特定の厚さすなわち０．６ｍｍ±５．９８λ／（Ｎ．Ａ．）4 とした場合である。
【００１６】
情報記録面１は、例えばＲＯＭ（Read Only Memory) 型構成による情報記録面、例えば情報記録ピットが、記録トラックによって形成され、その表面に例えばＡｌ蒸着膜が形成された構成とするとか、あるいはその一部もしくは全部に記録可能領域が形成された構成とすることができる。情報記録面は、例えば上述した光透過性ディスク基板に、例えば記録トラックに沿って案内グルーブが形成され、さらに例えば少なくとも一部にＲＯＭ構成を有する場合においては、記録ピット列の形成がなされる。
そして、記録可能領域が形成される情報記録面において、そのグルーブ内、あるいはグルーブ間、またはその両者に記録可能領域が形成される。このような情報記録面は、例えば上述したグルーブやピットの形成面に、光磁気記録層が塗布され、カー効果による情報の読み出しを行う構成とするとか、記録レーザーの照射によって相変化やピットの形成によって、光学的特性や、干渉等によって情報の読み出しを行う構成とすることができる。また、これら記録層上には、例えば反射層が形成される。更にまた、情報記録面２の表面には必要に応じて保護層が被着形成される。
【００１７】
図１に示す例では、その情報記録面１を、肉厚のクランプ部３の一主面より後退した凹部となる面に形成した場合であり、図２に示す例では、その情報記録面１を、クランプ部３の一主面と同一面を形成する面に形成した場合である。
【００１８】
そして、これら光記録媒体の情報記録面１に対する情報の光記録または／および再生は、図１および図２に示すように、光透過層２を有する側からのレーザー光Ｌを対物レンズ４によってフォーカシングする照射によって行う。
【００１９】
また、図３および図４に示す例では、第１および第２の基板２１および２２が例えば紫外線硬化樹脂の介在によって接合されて前述のクランプ部３を含む全体の厚さｔｃを１．２ｍｍとした場合である。これら、第１および第２の基板２１および２２は、共に例えばＰＣ等の同一素材で、ほぼ同一厚さの基板によって構成することが、反りの発生を回避する上で有利であるが、第２の基板２２は、不透明基板によって構成することができる。
【００２０】
図３の例では、第１の基板２１の、第２の基板２２と対向する側の面に情報記録面１を形成した場合で、図４の例では、第２の基板２２の、第１の基板２１と対向する側の面に情報記録面１を形成した場合で、いづれの場合も、第１の基板２１の、情報記録面１上の部分が光透過層２が構成される。これら図３および図４においても、その情報記録面１の構成は、図１および図２で説明した構成によることができる。
【００２１】
そして、これら光記録媒体の情報記録面１に対する情報の光記録または／および再生は、図３および図４に示すように、光透過層２を有する側からのレーザー光Ｌの照射によって行う。
【００２２】
また、図５の例においても、第１および第２の基板２１および２２が、光透過性を有する例えば紫外線硬化樹脂によって接合されて前述のクランプ部３を含む全体の厚さｔｃを１．２ｍｍとした場合である。この場合においても、これら、第１および第２の基板２１および２２は、共に例えばＰＣ等の同一素材で、ほぼ同一厚さの基板によって構成することが、反りの発生を回避する上で有利であるが、第２の基板２２は、不透明基板によって構成することができる。そして、この例においては、第１および第２の基板２１および２２の互いの対向面にそれぞれ１つの情報記録面、すなわち第１および第２の情報記録面１１および１２を形成した場合である。
【００２３】
この例においても、第１の情報記録面１に対しては第１の基板２１の、第１の情報記録面１上の部分によって光透過層２が構成され、第２の情報記録面２に対しては更に両基板２１および２２間の光透過性を有する例えば紫外線硬化樹脂を含んで光透過層２が構成される。
【００２４】
そして、これら光記録媒体の情報記録面１１および１２に対する情報の光記録または／および再生は、光透過層２を有する側、すなわち同一基板２１側から行うことができる。この場合、各情報記録面１１および１２に対して、同一レーザー光、もしくは異なる波長のレーザーＬ1 およびＬ2 をそれぞれそのフォーカス位置を第１および第２の情報記録面１１および１２に選定して行う。
【００２５】
この図５においても、その情報記録面１１および１２の構成は、図１および図２で説明した構成に対応する構成とすることができるが、この例では、第２の情報記録面１２に対する情報の記録、再生は、第１の情報記録面１１を透過させて行うことから、第１の情報記録面１１における反射面は、レーザー光Ｌ2 に対して半透明の反射面、例えば膜薄のＡｌ等金属反射膜によって構成するとか、半透明に設定された誘電体反射膜によって構成する。
【００２６】
そして、本発明による光記録再生装置は、上述したように、情報記録面上に厚さ０．６ｍｍの光透過層が形成され、光透過層の厚さむらが、±５．９８λ／（Ｎ．Ａ．）4 の範囲内に選定された光記録媒体が用いられ、その光透過層側から、波長λが、３９０ｎｍ≦λ≦４４０ｎｍのレーザー光により、Ｎ．Ａ．（開口数）が、０．６≦Ｎ．Ａ．≦０．７２の対物レンズを通じて光記録または再生の少なくともいづれかを行う。
【００２７】
一方、本発明による光記録再生装置は、図６にその概略構成を示すように、その光記録およびもしくは再生を行う光学装置３１いわゆる光ピックアップ装置を具備するものであるが、この光学装置３１に、光記録媒体のスキューに応じて、信号特性が良好にする機械的あるいは電気的補正を行う補正手段３０が設けられる。
【００２８】
この場合、光学装置３１は、例えばその全体の傾きを変更調整する駆動機構３２、例えば電磁手段、あるいはモーター駆動によって光学装置３１の全体を回動させてその傾きを調整する機構を有する構成とする。
【００２９】
そして、情報記録媒体１０のスキューの検出手段と、これよりの検出信号を増幅する増幅器３４と、その出力によって駆動機構３２を駆動制御するドライブ装置３５とを有して成る。
【００３０】
光記録媒体におけるスキューは、一般に椀状変形によるものであり、スキューを検出手段３３は、この各部における傾きを検出する構成とする。この検出手段３３は、例えば光記録媒体１０に対する記録や再生に影響をおよぼすことのない波長、もしくはパワーの検出光Ｌ0 例えばレーザー光を発生する例えば半導体レーザー３６と、この検出光Ｌ0 の、光記録媒体１０からの反射光ＬR を検出する検出素子例えばフォトダイオード３７を有してなる。この検出手段３３からの検出光Ｌ0 は、光学装置３１からのレーザー光の照射位置の近傍に照射するようになされる。
【００３１】
そして、この検出光Ｌ0 の光記録媒体１０からの反射光ＬR は、検出光Ｌ0 の照射部の傾きに応じてフォトダイオード３７への入射位置が相違することから、例えばフォトダイオード３７を分割フォトダイオードによって構成することによってその各分割部の光量変化によって光記録媒体１０の、検出光Ｌ0 の照射位置、すなわち光学装置３１からのレーザー光の照射位置近傍の傾きを検出することができる。したがって、この検出信号を、増幅器３４によって増幅し、その出力がドライブ装置３５に入力され、これによって駆動機構３２が駆動制御され、光学装置３１の傾き調整がなされる。このようにして、光学装置３１の光学的特性が常に良好な状態、例えば照射スポット形状の歪の発生や、確実な戻り光、すなわち再生光の検出がなされるようにする。
【００３２】
光学装置３１本体の構成は、従来周知の各種構成によることができる。例えば光再生を行う光学装置である場合、例えば図７にその概略構成を示すように、例えば半導体レーザー、あるいはレーザーとその波長変換素子を有する構成によるレーザー光の発生源４１と、グレーティング４２と、ビームスプリッタ４３と、対物レンズ４と、光記録媒体１０からの戻り光すなわち記録情報に応じて光強度変調された再生光を検出して情報の読み出しを行うフォトダイオード等の検出素子４４を有して成る構成とすることができる。
【００３３】
上述したように、レーザー光、すなわち図１〜図５で示したレーザーＬ、Ｌ1およびＬ2 は、波長８６０ｎｍのレーザーを、波長変換素子ＳＨＧ（第２高調波発生）素子によって波長変換したλが４３０ｎｍのレーザー光、あるいは４００ｎｍ近傍の半導体レーザー光、さらにその±１０ｎｍ程度の変動が可能であることから、本発明で用いるすなわち対象とするレーザー光の波長λは、３９０ｎｍ≦λ≦４４０ｎｍとする。
【００３４】
ところで、光透過層２の許容厚さむらＴ．Ｍ．および許容スキューＳ．Ｍ．は、それぞれ、
Ｔ．Ｍ．∝λ／（Ｎ．Ａ．）4
Ｓ．Ｍ．∝λ／（Ｎ．Ａ．）3 ／ｔ
で与えられることから、ＤＶＤにおける波長λ＝０．６５μｍ、Ｔ．Ｍ．＝±３０μｍ、Ｓ．Ｍ．＝±０．４°のフォーマットを基準にすると、本発明における光透過層の厚さｔが０．６ｍｍにおいては、
Ｔ．Ｍ．＝±３０×（０．６／Ｎ．Ａ．）4 ×（λ／０．６５）
＝±５．９８λ／（Ｎ．Ａ．）4 
Ｓ．Ｍ．＝±０．４×（０．６／Ｎ．Ａ．）3 ×（λ／０．６５）
＝±０．１３３λ／（Ｎ．Ａ．）3 
となる。
【００３５】
ところで、現状における射出成形技術によって直径１２０ｍｍ、厚さ０．６ｍｍの基板を作製する場合、量産レベルでは±１０μｍが厚さ精度、すなわち厚さむらの限界値である。
このことを考慮すると、
Ｔ．Ｍ．＝±３０×（０．６／Ｎ．Ａ．）4 ×（λ／０．６５）≧１０ ・・・（１）
となる。
【００３６】
Ｎ．Ａ．の上限は、λが最も大きいときであり、前述したように、λの最も大きい値を４４０ｎｍ（０．４４μｍ）とすることから、（１）式から、Ｎ．Ａ．は、
Ｎ．Ａ．≦０．７２
となる。
【００３７】
つまり、本発明構成では、光透過層の厚さｔが、０．６ｍｍのとき、厚さむらΔｔを、許容厚さＴ．Ｍ．の±５．９８λ／（Ｎ．Ａ．）4 の範囲内とする。そして、０．３９μｍ≦λ≦０．４４μｍにおいて、ＤＶＤにおけるＮ．Ａ．＝０．６以上で、０．７２以下とする。すなわち０．６≦Ｎ．Ａ．≦０．７２とするものである。
【００３８】
また、本発明による直径φ＝１２０ｍｍで、ＤＶＤと同等の信号記録領域を基準にして情報記録面が単一層である場合の、構成を説明する。
【００３９】
〔ＲＯＭディスクの場合〕
最も容量の低い場合は、λ＝０．４４μｍ、Ｎ．Ａ．＝０．６であり、ＤＶＤにおける記録容量が、４．７ＧＢであり、また、トラックピッチＴ．Ｐ．＝０．７４μｍ、線密度Ｌ．Ｄ．＝０．２７μｍ／ｂｉｔ、最短ピット長Ｐmin ＝０．４μｍであり、更に前述したように、λ＝０．６５、Ｓ．Ｍ．＝±０．４°であることから、これを基準にすると、
記録容量については、
４．７×（０．６５／０．４４）2 ＧＢ
＝１０．３ＧＢ
となる。
そして、このとき 
Ｔ．Ｍ．＝±５．９８λ／（Ｎ．Ａ．）4 〔μｍ〕
＝±２０〔μｍ〕
Ｓ．Ｍ．＝±０．１３３λ／（Ｎ．Ａ．）3 〔°〕
＝±０．２７° 
Ｔ．Ｐ．＝０．７４×０．４４／０．６５〔μｍ〕
＝０．５μｍ 
Ｌ．Ｄ．＝０．２７×０．４４／０．６５〔μｍ／ｂｉｔ〕
＝０．１８μｍ／ｂｉｔ
Ｐmin ＝０．４×０．４４／０．６５〔μｍ〕
＝０．２７μｍとなる。
【００４０】
一方、最も容量の高い場合は、λ＝０．３９μｍ、Ｎ．Ａ．＝０．７２であるから、記録容量については、
４．７×（０．６５／０．３９×０．７２／０．６）2 ＧＢ
＝１８．８ＧＢ
となる。
このとき 
Ｔ．Ｍ．＝±５．９８λ／（Ｎ．Ａ．）4 〔μｍ〕
＝±９μｍ 
Ｓ．Ｍ．＝±０．１３３λ／（Ｎ．Ａ．）3 〔°〕
＝±０．１４°
Ｔ．Ｐ．＝０．７４×０．３９／０．６５×０．６／０．７２〔μｍ〕
＝０．３７μｍ 
Ｌ．Ｄ．＝０．２７×０．３９／０．６５ ×０．６／０．７２〔μｍ／ｂｉｔ〕
＝０．１３μｍ／ｂｉｔ 
Ｐmin ＝０．４×０．３９／０．６５×０．６／０．７２〔μｍ〕
＝０．２０μｍとなる。
【００４１】
すなわち、光記録媒体において、ピット列データが少なくとも一部に記録されている光記録媒体において、本発明では、トラックピッチが、０．３７〔μｍ〕〜０．５〔μｍ〕で、最短ピット長が、０．２０〔μｍ〕〜０．２７〔μｍ〕、記録線密度が、０．１３〔μｍ／ｂｉｔ〕〜０．１８〔μｍ／ｂｉｔ〕のピット列データを情報領域の少なくとも一部に記録された構成とする。
【００４２】
尚、これらは、ＤＶＤに対して縮尺する形であるが、特開平１−３１２７４８号公報の開示のピットの幅を狭める技術を用いるときは、ピット幅は約３０％狭められることになる。
そして、このことから、上記Ｐmin の７０％に縮められ、
Ｐmin ＝０．３７×０．７＝０．２６μｍとなる。
更に、容量は、１８．８／０．７＝２６．８ＧＢまで増加する。
【００４３】
〔書き換え可能ディスクの場合〕
まず、ＤＶＤ＋Ｒ／Ｗ（ソニー製）を基準にすると、Ｔ．Ｐ．＝０．８０μｍのシングル・スパイラル・グルーブ記録構造で、線密度Ｌ．Ｄ．＝０．３５μｍ／ｂｉｔ、記録容量が３．０ＧＢであるので、この場合、最も容量の低い場合は、前述したと同様にλ＝０．４４μｍ、Ｎ．Ａ．＝０．６であるから、
記録容量は、
３．０×（０．６５／０．４４）2 ＧＢ
＝６．５ＧＢ
となり、 
Ｔ．Ｐ．＝０．８×０．４４／０．６５〔μｍ〕
＝０．５４μｍ 
Ｌ．Ｄ．＝０．３５×０．４４／０．６５〔μｍ／ｂｉｔ〕
＝０．２４μｍ／ｂｉｔである。
【００４４】
そして、最も容量が高い場合は、λ＝０．３９、Ｎ．Ａ．＝０．７２であるから、
記録容量は、 
３．６０（０．６５／０．３９×０．７２／０．６）2 ＧＢ
＝１２ＧＢ 
Ｔ．Ｐ．＝０．８×０．３９／０．６５×０．６／０．７２〔μｍ〕
＝０．４μｍ 
Ｌ．Ｄ．＝０．３５×０．３９／０．６５ ×０．６／０．７２〔μｍ／ｂｉｔ〕
＝０．１８μｍ／ｂｉｔとなる。
【００４５】
そこで、本発明においては、トラックピッチＴ．Ｐ．が、０．４〔μｍ〕〜０．５４〔μｍ〕、記録線密度が、０．１８〔μｍ／ｂｉｔ〕〜０．２４〔μｍ／ｂｉｔ〕のシングル・スパイラルの記録可能領域を有する光記録媒体を構成する。
【００４６】
次に、ＤＶＤ−ＲＡＭの、Ｔ．Ｐ．＝０．７４μｍのＬ／Ｇ（ランド・アンド・グルーブ）記録構造を基準にすると、線密度Ｌ．Ｄ．＝０．４１μｍ／ｂｉｔ、記録容量が２．６ＧＢであるので、この場合、最も容量の低い場合は、前述したと同様にλ＝０．４４μｍ、Ｎ．Ａ．＝０．６であるから、
記録容量は、
２．６×（０．６５／０．４４）2 ＧＢ
＝５．７ＧＢ
となる。
そして、Ｔ．Ｐ．については、前述のＲＯＭディスクにおけると同様に、 
Ｔ．Ｐ．＝０．７４×０．４４／０．６５〔μｍ〕
＝０．５μｍ
であり、
Ｌ．Ｄ．＝０．４１×０．４４／０．６５〔μｍ／ｂｉｔ〕
＝０．２８μｍ／ｂｉｔ
である。
【００４７】
そして、最も容量が高い場合は、λ＝０．３９、Ｎ．Ａ．＝０．７２であるから、
記録容量は、
２．６×（０．６５／０．３９×０．７２／０．６）2 ＧＢ
＝１０．４ＧＢ
となり、 
Ｔ．Ｐ．＝０．７４×０．３９／０．６５×０．６／０．７２μｍ
＝０．３７μｍ 
Ｌ．Ｄ．＝０．４１×０．３９／０．６５ ×０．６／０．７２〔μｍ／ｂｉｔ〕
＝０．２１μｍ／ｂｉｔ
【００４８】
そこで、本発明においては、トラックピッチが、０．３７〔μｍ〕〜０．５０〔μｍ〕、記録線密度が、０．２１〔μｍ／ｂｉｔ〕〜０．２８〔μｍ／ｂｉｔ〕のランド・アンド・グルーブ構造である記録可能領域を有する光記録媒体を構成する。
【００４９】
また、前記ニッケイ エレクトロニクス １９９７．５．５（ｎｏ．６８８）第１３頁、表１に記載の、赤色レーザーにおけるフォーマットにおいて、本発明による短波長化、高Ｎ．Ａ．化とすると、光磁気記録方式では、ＡＳＯＭ（Advanced Storage Magneto Optical) フォーマットで、Ｔ．Ｐ．＝０．６μｍ、Ｌ．Ｄ．＝０．２μｍ／ｂｉｔ、容量が７ＧＢであるから、前述と同様の手法で、
最も低い記録容量は、
５×（０．６５／０．４４）2 ＧＢ
＝１０ＧＢ
で、Ｌ／Ｇ記録構造で、
Ｔ．Ｐ．＝０．６４×０．４４／０．６５〔μｍ〕
＝０．４３μｍ 
Ｌ．Ｄ．＝０．２３×０．４４／０．６５〔μｍ／ｂｉｔ〕
＝０．１６μｍ／ｂｉｔ
最も高い記録容量は、 
７×（０．６５／０．３９×０．７２／０．６）2 ＧＢ
＝２８ＧＢ 
Ｔ．Ｐ．＝０．６×０．３９／０．６５×０．６／０．７２〔μｍ〕
＝０．３０μｍ 
Ｌ．Ｄ．＝０．２×０．３９／０．６５ ×０．６／０．７２〔μｍ／ｂｉｔ〕
＝０．１０μｍ／ｂｉｔ
である。
【００５０】
また、相変化方式では、ＭＭＶＦフォーマットで、Ｔ．Ｐ．＝０．５６μｍ、Ｌ．Ｄ．＝０．２８５μｍ／ｂｉｔ、容量が５．２ＧＢであるから、前述と同様の手法で、
最も低い記録容量は、
５．２×（０．６５／０．４４）2 ＧＢ
＝１１．３ＧＢ
で、Ｌ／Ｇ記録構造で、
Ｔ．Ｐ．＝０．５６×０．４４／０．６５〔μｍ〕
＝０．３８μｍ
Ｌ．Ｄ．＝０．２８５×０．４４／０．６５〔μｍ／ｂｉｔ〕
＝０．１９μｍ／ｂｉｔ
最も高い記録容量は、 
５．２×（０．６５／０．３９×０．７２／０．６）2 ＧＢ
＝２１ＧＢ 
Ｔ．Ｐ．＝０．５６×０．３９／０．６５×０．６／０．７２〔μｍ〕
＝０．２８μｍ 
Ｌ．Ｄ．＝０．２８５×０．３９／０．６５ ×０．６／０．７２〔μｍ／ｂｉｔ〕
＝０．１０μｍ／ｂｉｔ
である。
【００５１】
図８〜図１０は、本発明による光記録媒体の情報記録面のパターンを例示するもので、図８は、そのピット列データの配置態様の一例を示す。ピットＰは、例えば図８Ａに示す、単数すなわち１本のスパイラル線上に形成した構成とするとか、図８Ｂに示すように、複数、図示の例では２本のスパイラル線上に形成した構成とすることができる。
【００５２】
また、図９に示す例では、ピットＰの形成部以外の領域に、斜線を付して示す記録可能領域４０が設けられた構成を例示するものである。
この記録可能領域４０は、上述したピット列におけると同様に、単数もしくは複数スパイラルとすることができる。
【００５３】
また、複数の例えばダブルスパイラル（２本の平行スパイラル）等の構成とする場合、スパイラル状のグルーブを形成し、このグルーブ内とグルーブ間のいわゆるランドとのそれぞれに記録可能領域を形成するとか、例えばランドにＲＯＭ部を構成するピットＰを形成するなどの構成とすることができる。
【００５４】
更に、図１０Ａにその概略パターン図を示すように、斜線を付して示すスパイラル状のグルーブＧｒｖを形成し、このグルーブＧｒｖとその間のランドＬｎｄのそれぞれの延長上にそれぞれピット列データＰを形成する構成とするとか、図１０ＢおよびＣに示すように、グルーブＧｒｖとランドＬｎｄとが連続的に形成された構成とすることもでき、その延長上にピットＰの列を形成する構成とすることもできるなど、種々の配置構成とすることができる。
【００５５】
上述したように、本発明による光記録媒体の各フォーマットによれば、従来のＤＶＤとその記録再生装置と互換性を保ちつつ、高記録密度化を図り、記録容量の増大化をはかることができる。
【００５６】
また、本発明による光記録および再生の少なくともいづれかを行う光記録再生装置によれば、光記録媒体のスキューに応じて、その光記録および再生の少なくともいづれかを行う光学装置の傾きを調整することから、光記録媒体のスキューを実質的に補正し、すぐれた記録、再生特性をもってその記録および再生を行うことができる。
【符号の説明】
【００５７】
１・・・情報記録面、２・・・光透過層、３・・・クランプ部、４・・・対物レンズ、１０・・・光記録媒体、１１・・・第１の情報記録面、１２・・・第２の情報記録面、２１・・・第１の基板、２２・・・第２の基板、３０・・・補正手段、３１・・・光学装置、３２・・・駆動機構、３３・・・スキュー検出手段、３４・・・増幅器、３５・・・ドライブ装置、３６・・・半導体レーザー、３７・・・フォトダイオード、４０・・・記録可能領域、４１・・・レーザー光発生源、４２・・・グレーティング、４３・・・ビームスプリッタ、４４・・・光検出素子、Ｐ・・・ピット、Ｌ，Ｌ1 ，Ｌ2 ・・・レーザービーム、Ｌｎｄ・・・ランド、Ｇｒｖ・・・グルーブ
【図１】
2010135066.tif 000003
【図２】
2010135066.tif 000004
【図３】
2010135066.tif 000005
【図４】
2010135066.tif 000006
【図５】
2010135066.tif 000007
【図６】
2010135066.tif 000008
【図７】
2010135066.tif 000009
【図８】
2010135066.tif 000010
【図９】
2010135066.tif 000011
【図１０】
2010135066.tif 000012